(57)【特許請求の範囲】
【請求項１】
天井裏に埋設された空気調和機本体の内部にターボファンとこのターボファンを囲むように熱交換器を立設し、前記空気調和機本体の下面に吸込口および吹出口を有した化粧パネルを備えた天井埋込形空気調和機において、前記空気調和機本体の直方体形状に対応する長方形状の前記化粧パネルの長辺側に有した一対の吹出口と、前記ターボファン近傍は湾曲形状でその他部分はターボファンに沿わない「くの字形状」および「逆くの字形状」の一対がターボファンをはさむように立設した略菱形形状の熱交換器と、前記熱交換器へ冷媒を流通接続させるヘッダーおよび分配器を納めたヘッダー壁と、前記熱交換器のヘッダー壁との対向側から前記空気調和機本体の側板側へ延出した分割板と、を備え、前記略菱形形状の熱交換器の鈍角側二頂点は前記空気調和機本体の長辺側側板の中央付近になるように配設すると共に、前記分割板と前記ヘッダー壁により前記熱交換器の風下側から前記化粧パネルの一対の吹出口へ連通する吹出風路が二分され、前記熱交換器の列数は前記ターボファンから遠方部分が近傍部分より多いことを特徴とする天井埋込形空気調和機。
【請求項２】
前記熱交換器は一つの平板状をなすとともに、略菱形形状となるように湾曲または屈曲により形成したことを特徴とする請求項１記載の天井埋込形空気調和機。
【請求項３】
天井裏に埋設された空気調和機本体の内部にターボファンとこのターボファンを囲むように熱交換器を立設し、前記空気調和機本体の下面に吸込口および吹出口を有した化粧パネルを備えた天井埋込形空気調和機において、前記熱交換器は前記ターボファンの吹出口をまたぐ位置を境に上部と下部の２つに分割して配設されると共に、前記上部熱交換器と前記ターボファンの吹出口との距離が前記下部熱交換器との距離に比べて大きくなるように配設し、前記上部熱交換器と下部熱交換器の間に前記上部熱交換器で発生するドレン水を受けるドレンパンを配設したことを特徴とする天井埋込形空気調和機。
【請求項４】
天井裏に埋設された空気調和機本体の内部にターボファンとこのターボファンを囲むように熱交換器を立設し、前記空気調和機本体の下面に吸込口および吹出口を有した化粧パネルを備えた天井埋込形空気調和機において、前記熱交換器は前記ターボファンの吹出口をまたぐ位置を境に上部と下部の２つに分割され、前記上方部分に配設される上部熱交換器の湾曲部が前記空気調和機の側板の中央付近になるように配置されると共に、前記下方部分に配設される下部熱交換器の平面部が側板に沿うように配置されたことを特徴とする天井埋込形空気調和機。
【請求項５】
前記化粧パネルの吹出口部が前記空気調和機本体の吹出風路内に突出し、前記化粧パネルの吹出口部に左右方向風向ベーンを配設したことを特徴とする請求項１乃至請求項４のいずれかに記載の天井埋込形空気調和機。
【発明の詳細な説明】
【０００１】
【発明の属する技術分野】
本発明は、天井埋込形空気調和機に係り、特に熱交換器の向上、低騒音化、コンパクト化を図ることに関するものである。
【０００２】
【従来の技術】
図２１、図２２、図２３は、従来の天井埋込形空気調和機の一例を示し、図２１は従来の天井埋込形空気調和機を部屋から見た取付外観図、図２２は図２１の天井埋込形空気調和機の縦断面図、図２３は図２２の天井埋込形空気調和機の水平断面図である。
図２１、図２２のように、天井裏に埋設された直方体状の空気調和機本体１０１の下部には長方形の化粧パネル１０２が取り付けられ部屋へ面している。化粧パネル１０２の中央付近には空気調和機本体１０１への空気の吸込口である格子状の吸込グリル１０２ｂと、化粧パネル１０２の各辺に沿って形成された長方形状の吹出口１０２ａを４つ有し、さらに各吹出口１０２ａには１枚づつ上下方向風向ベーン１０２ｃを備えて、４方向吹出し天井埋込形空気調和機を成している。
また図２２、図２３のように、空気調和機本体１０１の内部には、ターボファン１０３、ターボファン１０３を駆動するためのモータ１０４、ベルマウス１０５、またターボファン１０３の周りには、空気調和機本体側板１０１ｃと平行部をもつ長方形状の熱交換器１０６が立設され、熱交換器１０６の端部はヘッダー１０８と分配器１０９で配管接続されヘッダー壁１１１で吹出風路１１６と分離される。
【０００３】
さらに熱交換器１０６の下部には凝縮水であるドレン水を受け止めるドレンパン１１２、ドレンパン１１２に貯水したドレン水を機外に排出するドレンポンプ１１７、モータ１０４の運転や上下方向風向ベーン１０２ｃの角度を制御する制御基板を収納する電気品箱１１３などが配設される。
また、ターボファン１０３は、モータ１０４の回転軸を固定するハブ１０３ｃと一体に形成された主板１０３ｂに、回転方向Ａに対し逆向きの後ろ向き羽根１０３ａが取り付けられ、主板１０３ｂに対向して羽根１０３ａへの空気の案内流路を形成する漏斗状のシュラウド１０３ｄにより構成されターボファン全体が回転して空気を吹き出す。
運転時、図２１〜図２３のように、モータ１０４に駆動され矢印Ａ方向に回転するターボファン１０３によって、部屋１１５の空気が吸込グリル１０２ｂから吸い込まれ、フィルタ１１４でホコリ等を除去された後、ベルマウス１０５を通り、ターボファン１０３に吸い込まれる。その後、ターボファン１０３から吹き出された空気は熱交換器１０６により加熱、または冷却され、吹出口１０２ａから上下方向風向ベーン１０２ｃにより風向を変更されながら、部屋１１５へ吹出され空調する。
【０００４】
また、従来の天井埋込形空気調和機の別の例として、図２４は天井埋込形空気調和機の部屋から見た据付外観図、図２５は図２４の縦断面図、図２６は図２５の水平断面図を示す。
図２４、図２５のように、天井裏に埋設された直方体の空気調和機本体１０１の下部には長方形の化粧パネル１０２が取り付けられ部屋１１５へ面している。
この空気調和機は、長方形状の化粧パネル１０２の各長辺１０２ｄにのみに沿って長方形状の吹出口１０２ａがそれぞれ一つ合計二つ形成され、また各吹出口１０２ａには１枚づつ上下方向風向ベーン１０２ｃを有し、さらに長方形状の化粧パネル１０２の各吹出口１０２ａに挟まれた内側を吸込風路１１９とし、前記吸込風路１１９を覆うように吸込パネル１０２ｉが取り付けられ、前記吹出口１０２ａと吸込パネル１０２ｉの間の長方形の開口部二つのみを吸込口１０２ｂとし、ファンとして多翼ファン１２０を用いている２方向吹出し天井埋込形空気調和機である。
また図２５、図２６において、天井裏に埋設された空気調和機本体１０１の内部には、空気調和機本体１０１の長辺方向に延設されている平板状の一対の熱交換器１０６と、熱交換器下部には熱交換器１０６で生じたドレン水を貯排水するためのドレンパン１１２を有し、さらに前記一対の熱交換器１０６の間には、円盤状の主板１２０ａと前記主板の両側のリング状の側板１２０ｂに多数の羽根１２０ｃを取付角度が羽根車の回転方向に傾斜するように取り付けて形成されている羽根車１２０ｄを、側板側に開口する吸込ベルマウス１２０ｅと天板側へ開口する一つの吹出口１２０ｆとを備えたケーシング１２０ｇに内装された多翼ファン１２０が天板に固定され、かつ多翼ファン１２０の吸込側、吹出し側風路を風路分割板１２１で仕切っている。
【０００５】
以上のように構成されていることにより、多翼ファン１２０の羽根車１２０ｄがモータ１０４により駆動され回転すると、部屋１１５内の空気は化粧パネル１０２の長方形状の二つの吸込口１０２ｂから吸込風路１１９を通り、多翼ファンの吸込ベルマウス１２０ｅに吸い込まれる。その後、多翼ファンの羽根車１２０ｄによって多翼ファンの吹出口１２０ｆから天板１０１ｄに向け吹き出された空気は、矢印のように前記天板１０１ｄに衝突しながら分流し、それぞれの熱交換器１０６を通過し熱交換される。
そして、ドレンパン１１２、側板１０１ａで構成される吹出風路１１６を通過し、化粧パネル１０２の吹出口１０２ａから部屋１１５内へ吹き出され空調される。
【０００６】
また、従来の天井埋込形空気調和機のさらに別の例として、図２７の特許第３１３８６３２号公報に示されたものはターボファンを用いた２方向吹出し天井埋込形空気調和機の水平断面図を示している。図において、直方体形状の空気調和機本体１０１と空気調和機本体下部に長方形状の化粧パネル１０２が配設され、前記化粧パネル１０２の各長辺側のみに沿った長方形状の吹出口１０２ａを各一つ合計二つ有し、空気調和機本体１０１の内部には、２枚の平板状の熱交換器１０６がターボファン１０３を挟み、かつ長方形状の吹出口１０２ａに沿って立設している。また二つの長方形状の吹出口１０２ａには各１枚づつ上下方向風向ベーン１０２ｃが配設される。
【０００７】
このほかに特開２０００−４６３６０号公報には図２８に示す２方向吹出し天井埋込形空気調和機の水平断面図に示すターボファンの周囲にＵ字形の熱交換器を立設したものや、特開平１１−１４９７１１号公報に示された図２９、図３０の天井埋込形空気調和機の水平断面図のように円形または波形の熱交換器を立設したものも存在する。
【０００８】
さらに図３１、図３２、図３３は、従来の天井埋込形空気調和機の一例を示し、図３１は従来の天井埋込形空気調和機の部屋から見た取付外観図、図３２は図３１の天井埋込形空気調和機の縦断面図、図３３は図３２の水平断面図である。
図３１、図３２に示すように、天井裏に埋設された立方体状の空気調和機本体１０１の下部には正方形の化粧パネル１０２が取り付けられ部屋１１５へ面している。化粧パネル１０２の中央付近には空気調和機本体１０１への空気の吸込口である格子状の吸込グリル１０２bと、化粧パネル１０２の各辺に沿って形成された長方形状の吹出口１０２ａを４つ有し、さらに各吹出口１０２ａには１枚づつ上下方向風向ベーン１０２ｃを有する４方向吹出し天井埋込形空気調和機である。
【０００９】
また図３２、図３３のように、空気調和機本体１０１の内部には、ターボファン１０３、ターボファン１０３を駆動するためのモータ１０４、ベルマウス１０５、またターボファン１０３の周りには、空気調和機本体側板１０１ｃと平行部をもつ正方形状の熱交換器１０６が立設され、熱交換器１０６の下部には凝縮水であるドレン水を受け止めるドレンパン１１２、モータ１０４の運転や上下方向風向ベーン１０２ｃの角度を制御する制御基板を収納する電気品箱１１３などが配設される。さらにターボファン１０３は、図２２，図２３にて説明したものと同様のターボファンを用いる。
運転時、図３１〜図３３のように、モータ１０４に駆動され矢印Ａ方向に回転するターボファン１０３によって、部屋１１５の空気が吸込グリル１０２ｂから吸い込まれ、フィルタ１１４でホコリ等を除去された後、ベルマウス１０５を通り、ターボファン１０３に吸い込まれる。その後、ターボファン１０３から吹き出された空気は熱交換器１０６により加熱、または冷却され、吹出口１０２ａから上下方向風向ベーン１０２ｃにより風向を変更されながら、部屋へ吹出され室内を空調する。
【００１０】
【発明が解決しようとする課題】
従来の天井埋込形空気調和機は、上述のように構成されている。一方近年、天井埋込形空気調和機を設置する事務所やマンション等の天井裏の高さは、有効部屋容積確保のため低くなる傾向にある。そのため、４方向吹出し、２方向吹出しを問わず、天井裏の高さが低くても設置できるように、空気調和機本体の高さは小さいものが要求されている。また空気調和機本体が小さくても低騒音で熱交換性能の高い製品も要求されている。
【００１１】
従来の直方体の空気調和機本体と長方形状の化粧パネルを有する４方向吹出し天井埋込形空気調和機の場合、設置される部屋の形が細長く、狭いとき取付スペースが小さすぎて設置できない場合がある。さらに４方向吹出し天井埋込型空気調和機であれば空調された風を四方に吹き出せるため、部屋の温度ムラが生じづらいにも関わらず、図２４のように設置しようとしている部屋の照明１２２等が細長いデザインのものであるため、長方形状の化粧パネル１０２の短辺１０２ｅの寸法が大きいため、前記化粧パネル短辺１０２ｅにある吹出口１０２ａの位置が照明１１２の列を遮るように横に吹出口１０２ａが配置されてしまうと天井面の意匠性が悪いという理由で、長方形状の化粧パネル１０２ａの長辺側にのみ吹出口を有する２方向吹出し天井埋込型空気調和機を選択されるケースが多々存在する。
【００１２】
また、図２４の従来の直方体の空気調和機本体１０１と長方形状の化粧パネル１０２の各長辺１０２ｄ側にのみに長辺に沿って長方形状の吹出口１０２ａがそれぞれ一つ合計二つ形成され、多翼ファン１２０を用いている２方向吹出し天井埋込形空気調和機の場合、多翼ファン１２０には、回転時の挙動の安定性のためケーシング１２０ｇが必要で本体高さの大部分を占めるため空気調和機本体高さＨを小さくできないという問題点がある。
さらに、長方形状の化粧パネル１０２の各吹出口１０２ａに挟まれた内側を吸込風路１１９とし、前記吸込風路１１９を覆うように吸込パネル１０２ｉが取り付けられ、前記吹出口１０２ａと吸込パネル１０２ｉの間の長方形の開口部二つのみを吸込口１０２ｂとしているので、通風抵抗が高く騒音悪化してしまうという欠点があった。
【００１３】
そして、図２７の従来の特許第３１３８６３２号公報に示された直方体の空気調和機本体１０１と長方形状の化粧パネル１０２の各長辺１０２ｄ側にのみに沿って長方形状の吹出口１０２ａがそれぞれ一つ合計二つ形成され、ターボファン１０３を用いている２方向吹出し天井埋込形空気調和機の場合、多翼ファンからターボファンへ変更したことによりファンの必要高さ寸法が小さくなり、空気調和機本体高さＨは小さくできる。しかし、図２７のターボファンから熱交換器の間の矢印で示す流線図および風速分布を示す図２７（ｂ），（ｃ）のように、ファン近傍と遠方では非常に風速が異なるため、吹出口の長辺１０２ｄ方向で吹出流の温度差が生じてしまい、さらに熱交換器が大きくても風量に対する熱交換量の比率である熱交換効率が低く、十分性能が引き出せない。
【００１４】
また、図２７、図２４の従来のターボファン、多翼ファンどちらを用いた２方向吹出し天井埋込形空気調和機でも、長方形状の化粧パネル１０２の長辺１０２ｄ側各辺に一つ合計２つしか長方形状の吹出口１０２ａがなく、さらに吹出口１０２ａ一つに同一断面形状の上下方向風向ベーン１０２ｃしかないので、化粧パネル１０２の短辺方向１０２ｅには風が送風しづらく風向も変更できないので、部屋の場所により温度ムラが生じ、不快に感じる人が生じるという欠点がある。
【００１５】
そして、図３１、の従来の空気調和機本体１０１が立方体形状で、吹出口１０２ａを４つ有する４方向吹出し天井埋込型空気調和機の場合、搭載される正方形状の熱交換器１０６のターボファンの吹出口１０３ｅより離れた下方部分は熱交換器通過流速が低いため、熱交換器通過流速が高いターボファン吹出口１０３ｅ近傍に比べ熱交換量が小さく熱交換効率が悪い。
さらに、図３２のように、ターボファンの吹出口１０３ｅに対し略正方形形状の熱交換器１０６の平面部が高さ方向において同一位置であるので、前記熱交換器１０６のターボファンの吹出口１０３ｅ近傍ではターボファン１０３から吹き出された流れがほぼ同一のタイミングで熱交換器１０６へ衝突する。そのためターボファンの吹出口１０３ｅの高さ方向で同一のタイミングで圧力変動を受けてしまう。
さらに図３３のように、ターボファン１０３が回転中、熱交換器１０６の平面部→湾曲部→平面部→…平面部とターボファン１０３と熱交換器１０６の距離関係が急激に周期的に変化するため回転中にも圧力変動を受けてしまい、その結果、ターボファンの羽根１０３ａで圧力変動を受け騒音悪化してしまう。
【００１６】
そして、４方向吹出し、２方向吹出し問わず、熱交換器面積を増加させるために熱交換器全体の列数を増加すると、ターボファン１０３と熱交換器１０６が接近するとともにターボファン吹出口１０３ｅ近傍で熱交換器の通風抵抗が増加することから、騒音悪化してしまう。また熱交換器全体のフィンピッチを縮小すると、通風抵抗が増加し騒音悪化していまうという問題点がある。
【００１７】
本発明は上述のような欠点、問題点を解消するためになされたもので、低騒音、コンパクトで、熱交換性能が高く、部屋の温度ムラを小さく快適性が高い天井埋込型空気調和機を得ることを目的とする
【００１８】
【課題を解決するための手段】
第１の発明に係る天井埋込形空気調和機は、天井裏に埋設された空気調和機本体の内部にターボファンとこのターボファンを囲むように熱交換器を立設し、前記空気調和機本体の下面に吸込口および吹出口を有した化粧パネルを備えた天井埋込形空気調和機において、前記空気調和機本体の直方体形状に対応する長方形状の前記化粧パネルの長辺側に有した一対の吹出口と、前記ターボファン近傍は湾曲形状でその他部分はターボファンに沿わない「くの字形状」および「逆くの字形状」の一対がターボファンをはさむように立設した略菱形形状の熱交換器と、前記熱交換器へ冷媒を流通接続させるヘッダーおよび分配器を納めたヘッダー壁と、前記熱交換器のヘッダー壁との対向側から前記空気調和機本体の側板側へ延出した分割板と、を備え、前記略菱形形状の熱交換器の鈍角側二頂点は前記空気調和機本体の長辺側側板の中央付近になるように配設すると共に、前記分割板と前記ヘッダー壁により前記熱交換器の風下側から前記化粧パネルの一対の吹出口へ連通する吹出風路が二分され、前記熱交換器の列数は前記ターボファンから遠方部分が近傍部分より多いものである。
【００１９】
第２の発明に係る天井埋込型空気調和機は、前記熱交換器が一つの平板状をなすとともに、略菱形形状となるように湾曲または屈曲により形成したものである。
【００２２】
第３の発明に係る天井埋込形空気調和機は、天井裏に埋設された空気調和機本体の内部にターボファンとこのターボファンを囲むように熱交換器を立設し、前記空気調和機本体の下面に吸込口および吹出口を有した化粧パネルを備えた天井埋込形空気調和機において、前記熱交換器は前記ターボファンの吹出口をまたぐ位置を境に上部と下部の２つに分割して配設されると共に、前記上部熱交換器と前記ターボファンの吹出口との距離が前記下部熱交換器との距離に比べて大きくなるように配設し、前記上部熱交換器と下部熱交換器の間に前記上部熱交換器で発生するドレン水を受けるドレンパンを配設したものである。
【００２３】
第４の発明に係る天井埋込形空気調和機は、天井裏に埋設された空気調和機本体の内部にターボファンとこのターボファンを囲むように熱交換器を立設し、前記空気調和機本体の下面に吸込口および吹出口を有した化粧パネルを備えた天井埋込形空気調和機において、前記熱交換器は前記ターボファンの吹出口をまたぐ位置を境に上部と下部の２つに分割され、前記上方部分に配設される上部熱交換器の湾曲部が前記空気調和機の側板の中央付近になるように配置されると共に、前記下方部分に配設される下部熱交換器の平面部が側板に沿うように配置されたものである。
【００２４】
第５の発明に係る天井埋込形空気調和機は、前記化粧パネルの吹出口部が前記空気調和機本体の吹出風路内に突出し、前記化粧パネルの吹出口部に左右方向風向ベーンを配設したものである。
【００２５】
【発明の実施の形態】
実施の形態１．
以下、本発明の実施の形態１における天井埋込形空気調和機を図１〜図３を用いて説明する。
図１は、本発明の天井埋込形空気調和機の部屋から見た外観図、図２は図１の天井埋込形空気調和機の縦断面図、図３は図２の水平断面図を示す。
図１のように、天井裏に埋設された直方体状の空気調和機本体１の下部には長方形状の化粧パネル２が取り付けられ部屋１５へ面している。そして前記長方形状の化粧パネル２の各長辺２ｄ側にのみに、前記長辺２ｄに沿った長方形状の吹出口２ａを各一つ合計二つ有し、さらに各吹出口２ａには１枚づつ上下方向風向ベーン２ｃが配設されている。また前記長方形の吹出口２ａ二つに挟まれるように化粧パネル２の中央付近には空気調和機本体１への空気の吸込口である格子状の吸込グリル２ｂが配設される。
【００２６】
また図２、図３のように、空気調和機本体１の内部には、ターボファン３、ターボファン３を駆動するためのモータ４、吸込グリル２ｂからターボファン３への導風路を構成するベルマウス５が配設されている。また熱交換器６は、ターボファン３近傍が湾曲形状でその他部分はターボファン３に沿わない「くの字形状」の熱交換器６ａと「逆くの字形状」の熱交換器６ｂ一対がターボファン３をはさむように立設され、各熱交換器６ａ、６ｂの一端はサイドプレート７で、他端はヘッダー８・分配器９により接続され、熱交換器６全体が略菱形形状に形成されている。
さらに、前記熱交換器６の「くの字または逆くの字形状」の鈍角側二頂点６ｃ、６ｄは空気調和機本体１の長辺側側板１ａの中央付近になるように配設し、さらに前記サイドプレート７から空気調和機本体１の短辺側側板１ｂ方向へ延出した分割板１０とこの分割板とは略菱形形状の対向側に位置するヘッダー８および分配器９を納めたヘッダー壁１１により、空気調和機本体１の熱交換器６下流側から化粧パネル２の吹出口２ａへ連通する熱交換器６上流側になる吹出風路１６が二分されている。
【００２７】
そして、熱交換器６の下部には凝縮水であるドレン水を受け止めるドレンパン１２、ドレン水を機外へ排出するドレンポンプ１７、モータ４の運転や上下方向風向ベーン２ｃの角度を制御する制御基板を収納する電気品箱１３などが配設される。
また、ターボファン３は、モータ４の回転軸を固定するハブ３ｃと一体に形成された主板３ｂに、ターボファンの回転方向Ａに対し逆向きの後ろ向き羽根３ａが取り付けられ、主板３ｂに対向して羽根３ａへの空気の案内流路を形成する漏斗状のシュラウド３ｄにより構成されターボファン３全体が回転する。
運転時、図１〜図３のように、モータ４に駆動され矢印Ａ方向に回転するターボファン３によって、部屋１５の空気が吸込グリル２ｂから吸い込まれ、フィルタ１４でホコリ等を除去された後、ベルマウス５を通り、ターボファン３に吸い込まれる。その後、ターボファン３から吹き出された空気は熱交換器６により加熱、または冷却され、吹出口２ａから上下方向風向ベーン２ｃにより風向を変更されながら、部屋１５へ吹出され空調する。
【００２８】
このように、天井埋込形空気調和機を構成することにより、従来の図２６、図２７に示す平板形状の熱交換器１０６を有する天井埋込形空気調和機や、図２９のターボファンの周りに円形の熱交換器１０６を配設した従来の天井埋込形空気調和機に比べ熱交換器６の長さを拡大でき、熱交換器面積を拡大できるので、熱交換性能の向上が図れる。
【００２９】
また、従来の図２９のターボファン１０３の周りに円形の熱交換器１０６を配設したものでは、ターボファン１０３から吹き出された流れＣと熱交換器１０６のフィンの流入角度差αが全周で同一であるが、角度差αが大きく、風速が大きいため通風抵抗が大きくなってしまう。しかし図３のように、ターボファン３から吹き出された流れＣは、略菱形熱交換器６のターボファン３の近傍以外のターボファン３の遠方の平面状部分ではターボファン３からの吹出流の風速が減速し、前記角度差αが小さい状態で吹出口２ａへ向け偏向できるため、熱交換器通風抵抗を低くできる。そのため、騒音を低減することが可能である。
【００３１】
さらに、空気調和機本体１の四方の側壁１ａ、１ｂに加え、ヘッダー壁１１、分割板１０が入り支柱が増加することにより、空気調和機本体１の高さ方向の荷重に対し強度が増す。そのため、運搬時や積み重ね時でも空気調和機が破損しづらくできる。
【００３２】
以上のように本発明によれば、熱交換性能が高く、低騒音で、吹出流の温度制御がしやすく、強度も高い天井埋込形空気調和機を得られる。
一方、従来の天井埋込形空気調和機と熱交換性能が同等、騒音値も同等で良い場合、熱交換器の長さが長くなった分、高さを低くでき、略菱形形状により通風抵抗が低いため、騒音悪化せず空気調和機本体の高さを低減できコンパクト化が図れる効果を得られる。
【００３３】
実施の形態２．
以下、本発明の実施の形態２における天井埋込形空気調和機を図４を基に説明する。
図４は、本実施の形態２の空気調和機の水平断面図を示し、実施の形態１の図３に相当する。なお、本空気調和機の主な構成は、前記実施の形態１と同様であり、同一部分には同符号を付し、その説明を省略する。
【００３４】
図４において、空気調和機本体１は天井裏に埋設され、空気調和機本体１の内部にターボファン３および熱交換器６を立設し、熱交換器６は平板状の熱交換器（空気流れに対して２列の熱交換器）を同時に略菱形形状となるように湾曲により形成している。そして熱交換器取付部材と併用で空気調和機本体１の短辺側側板１ｂ方向へ延出した分割板１０とヘッダー壁１１により、空気調和機本体１の熱交換器６風下側から化粧パネル２の吹出口２ａへ連通する熱交換器６風上側にある吹出風路１６が二分されている。
【００３５】
このように熱交換器６を形成することにより、実施の形態１に示したような２枚の平板形状の熱交換器６を湾曲して「くの字」、「逆くの字」形状に形成後、熱交換器６の一端をサイドプレート７で他端をヘッダー８および分配器９により固定し略菱形形状にする時に比べ、サイドプレートが不要で部品点数が減らせ、「くの字」、「逆くの字」形状熱交換器を略菱形に形成するためのサイドプレートへの熱交換器の固定作業も不要のため省人化、作業効率の向上が図れ、人的コスト低減が図れる。そのため、安価な空気調和機を提供できる。
【００３６】
実施の形態３．
以下、本発明の実施の形態３における天井埋込形空気調和機を図５〜図６を用いて説明する。
図５は天井埋込型空気調和機の水平断面図、図６は図５のＢ−Ｂ断面における縦断面図である。なお、本空気調和機の主な構成は、前記実施の形態１と同様であり、同一部分には同符号を付し、その説明を省略する。
【００３７】
本実施の形態３における天井埋込型空気調和機は、前記実施の形態１の図１に示すように、天井裏に埋設された直方体状の空気調和機本体１の下部には長方形状の化粧パネル２が取り付けられ部屋１５へ面している。長方形状の化粧パネル２の各長辺２ｄ側にのみに、前記長辺２ｄに沿った長方形状の吹出口２ａを各一つ合計二つ有し、さらに各吹出口２ａには１枚づつ上下方向風向ベーン２ｃが配設されている。また前記長方形の吹出口２ａ二つに挟まれるように化粧パネル２の中央付近には空気調和機本体１への空気の吸込口である格子状の吸込グリル２ｂが配設された二方向吹出し天井埋込型空気調和機である。
【００３８】
また図５、図６のように、空気調和機本体１の内部には、ターボファン３、ターボファンを駆動するためのモータ４、吸込グリル２ｂからターボファン３への導風路を構成するベルマウス５が配設されている。また熱交換器６は、列数２列の熱交換器６をターボファン３近傍が湾曲形状でその他部分はターボファンに沿わない「くの字形状」の熱交換器６ａと「逆くの字形状」の熱交換器６ｂ一対がターボファン３をはさむように立設されている。さらに熱交換器６のターボファン３の遠方部分６ｅは熱交換器列数が多い３列の状態で形成され、各熱交換器６ａ、６ｂの一端はサイドプレート７で、他端はヘッダー８および分配器９により接続され、熱交換器６全体が略菱形形状に形成されている。
さらに、前記熱交換器６の鈍角側二頂点６ｃ、６ｄは空気調和機本体１の長辺側側板１ａの中央付近になるように配設し、さらに前記サイドプレート７から空気調和機本体１の短辺側側板１ｂ方向へ延出した分割板１０とヘッダー８および分配器９を納めたヘッダー壁１１により、空気調和機本体１の熱交換器６風上側から化粧パネル２の吹出口２ａへ連通する熱交換器６風下側にある吹出風路１６が二分されている。
【００３９】
そして、熱交換器６の下部には凝縮水であるドレン水を受け止めるドレンパン１２、モータ４の運転や上下方向風向ベーン２ｃの角度を制御する制御基板を収納する電気品箱１３などが配設される。
さらにターボファン３は、モータ４の回転軸を固定するハブ３ｃと一体に形成された主板３ｂに、回転方向Ａに対し逆向きの後ろ向き羽根３ａが取り付けられ、主板３ｂに対向して羽根３ａへの空気の案内流路を形成する漏斗状のシュラウド３ｄにより構成されターボファン３全体が回転する。
運転時、図５、図６のように、モータ４に駆動され矢印Ａ方向に回転するターボファン３によって、部屋の空気が吸込グリル２ｂから吸い込まれ、フィルタ１４でホコリ等を除去された後、ベルマウス５を通り、ターボファン３に吸い込まれる。その後、ターボファン３から吹き出された空気は熱交換器６により加熱、または冷却され、吹出口２ａから上下方向風向ベーン２ｃにより風向を変更されながら、部屋１５へ吹出され空調する。
【００４０】
このように、天井埋込形空気調和機を構成することにより、従来の図２６、図２７の平板形状の熱交換器１０６を有する天井埋込形空気調和機や、図２９のターボファン１０３の周りに円形の熱交換器１０６を配設した従来の天井埋込形空気調和機に比べ、熱交換器面積を拡大でき、さらに、ターボファン３近傍は熱交換器列数が少なくターボファン３へ寄与する通風抵抗の増加が小さいので、騒音悪化が小さくて冷・暖房時の熱交換器性能の向上が図れる。または熱交換性能が従来と同一性能で良い場合、送風量を低減できるので、低騒音化が図れる。また熱交換器性能、騒音値が従来と同一性能で良い場合、熱交換器面積の高さ方向を削減できるので、空気調和機本体高さＨを低減できコンパクト化が可能である。
【００４１】
以上のように本発明によれば、熱交換性能が高く、または低騒音、またはコンパクトな天井埋込型空気調和機が得られる。
【００４２】
実施の形態４．
以下、本発明の実施の形態４における天井埋込形空気調和機を図７〜図９を用いて説明する。
図７は天井埋込形空気調和機の部屋から見た取付概要図、図８は図７の縦断面図、図９は図８の水平断面図である。
図７〜図９のように、天井裏に埋設された立方体状の空気調和機本体１の下部には正方形状の化粧パネル２が取り付けられ部屋１５へ面している。化粧パネル２の中央付近には空気調和機本体１への空気の吸込口である格子状の吸込グリル２ｂと、化粧パネル２の各辺に沿って形成された長方形状の吹出口２ａを４つ有し、さらに各吹出口２ａには１枚づつ上下方向風向ベーン２ｃを有する４方向吹出し天井埋込形空気調和機である。
【００４３】
また、空気調和機本体１の内部には、ターボファン３、ターボファンを駆動するためのモータ４、ベルマウス５、またターボファン３の周りには、空気調和機本体側壁１ａと平行部をもつ正方形状の熱交換器６が立設され、熱交換器６のターボファンの吹出口３ｅより化粧パネル２の吹出口側の下方部分６ｆでは熱交換器の列数が１列多い状態で形成されている。
そして熱交換器６の下部には凝縮水であるドレン水を受け止めるドレンパン１２、モータ４の運転や上下方向風向ベーン２ｃの角度を制御する制御基板を収納する電気品箱１３などが配設される。
運転時、モータ４に駆動され矢印Ａ方向に回転するターボファン３によって、部屋１５の空気が吸込グリル１ｂから吸い込まれ、フィルタ１４でホコリ等を除去された後、ベルマウス５を通り、ターボファン３に吸い込まれる。その後、ターボファン３から吹き出された空気は熱交換器６により加熱、または冷却され、吹出口２ａから上下方向風向ベーン２ｃにより風向を変更されながら、部屋１５へ吹出され空調する。
このとき、上下方向風向ベーン２ｃは、それぞれ１枚づつ独立で角度を変更することができるものである。
【００４４】
このように、天井埋込形空気調和機を構成することにより、従来の図３１に示す空気調和機本体が立方体形状の天井埋込形空気調和機に比べ、熱交換器面積を拡大でき、さらに熱交換器６のターボファンの吹出口３ｅより下方部分の流速が低い部分でも熱交換器面積が拡大されることから送風量に対する熱交換量が増加し、熱交換効率が向上できる。
またターボファンの吹出口３ｅ近傍に熱交換器６が追加されず、ターボファンへ寄与する通風抵抗の増加が極小なので、ほぼ騒音が同一のまま冷・暖房時の熱交換器性能の向上が図れる。
【００４５】
また、熱交換器６から吹出口２ａへ至る吹出風路１６はエルボ形風路形態であり、熱交換器６の下方部分の通過流速が小さいまま熱交換性能の向上が可能であるので、熱交換器上方からの流れを妨げず吹出風路１６での通風抵抗の増加がない。以上のように本発明によれば、ほぼ騒音が同一のまま熱交換性能が高い天井埋込型空気調和機が得られる。
【００４６】
実施の形態５．
以下、本発明の実施の形態５における天井埋込形空気調和機を図１０〜図１１を用いて説明する。
図１０、図１１は、本発明の天井埋込形空気調和機の一例を示し、図１０は天井埋込形空気調和機の縦断面図、図１１は図１０の水平断面図である。
なお、本空気調和機の主な構成は、前記実施の形態４と同様であり、同一部分には同符号を付し、その説明を省略する。
【００４７】
天井裏に埋設された立方体状の空気調和機本体１の下部には正方形状の化粧パネル２が取り付けられ部屋１５へ面している。化粧パネル２の中央付近には空気調和機本体１への空気の吸込口である格子状の吸込グリル２ｂと、化粧パネル２の各辺に沿って形成された長方形状の吹出口２ａを４つ有し、さらに各吹出口２ａには１枚づつ上下方向風向ベーン２ｃを有する４方向吹出し天井埋込形空気調和機である。
また、空気調和機本体１の内部には、ターボファン３、ターボファン３を駆動するためのモータ４、ベルマウス５、またターボファン３の周りには、空気調和機本体側壁１ａと平行部をもつ正方形状の熱交換器６が立設され、熱交換器６のターボファンの吹出口３ｅ近傍部分６ｇと吹出口３ｅ下方部分６ｈで二分割されている。
また、熱交換器６のターボファンの吹出口３ｅ近傍部分６ｇに比べ、吹出口３ｅより下方部分６ｈのフィンピッチが小さい状態状態で形成されている。したがって、熱交換器６はフィンピッチが大きい部分６ｇとフィンピッチが小さい部分６ｈとの２つの種類の上下組合せからなっています。
【００４８】
このように、天井埋込形空気調和機を構成することにより、従来の図３１に示す空気調和機本体１０１が立方体形状の天井埋込形空気調和機に比べ、熱交換器面積を拡大でき、さらに熱交換器６のターボファンの吹出口３ｅより下方部分の流速が低い部分でも熱交換器面積が拡大されることから送風量に対する熱交換量が増加し、熱交換効率が向上できる。
またターボファンの吹出口３ｅ近傍で熱交換器６のフィンピッチが縮小されないのでターボファン３へ寄与する通風抵抗の増加が小さく、冷・暖房時の熱交換器性能の向上が図れ、騒音を維持したまま熱交換性能を向上できる。
また、熱交換器６から吹出口２ａへ至る吹出風路１６はエルボ形風路形態であり、熱交換器６の下方部分の通過流速が小さいまま熱交換性能の向上が可能であるので、熱交換器上方からの流れを妨げず吹出風路１６での通風抵抗の増加がない空調機を得ることができる。
以上のように、熱交換器を形成することにより、騒音を悪化させることなく熱交換性能が高く、熱交換効率が良い天井埋込型空気調和機を得られる。
【００４９】
実施の形態６．
以下、本発明の実施の形態６における天井埋込形空気調和機を図１２〜図１４に基づいて説明する。
図１２〜図１４は、本発明の天井埋込形空気調和機の一例を示し、図１２は天井埋込形空気調和機の縦断面図、図１３は図１２のＤ−Ｄ断面での水平断面図、図１４は図１２のＥ−Ｅ断面での水平断面図である。なお、本空気調和機の主な構成は、前記実施の形態４と同様であり、同一部分には同符号を付し、その説明を省略する。
【００５０】
空気調和機本体１の内部にはターボファン３、ターボファン３を駆動するためのモータ４、ベルマウス５、またターボファン５の周りには熱交換器６が立設される。そして前記熱交換器６は前記ターボファンの吹出口３ｅをまたぐ位置を境に空気調和機天面側上方の上部熱交換器６ｉと化粧パネル側下方の下部熱交換器６ｊに分けられ、上部熱交換器６ｉと前記ターボファン３との距離Ｌ１は下部熱交換器６ｊと前記ターボファン３との距離Ｌ２に比べ大きくなるように配設されている。また、上部熱交換器６ｉと下部熱交換器６ｊの間、および下部熱交換器６ｊの下面には、各熱交換器６ｉ、６ｊにおいて空気が凝縮される際に発生するドレン水を受けるドレンパン１２ａ、１２ｂがそれぞれ配設されている。
【００５１】
このように熱交換器６およびドレンパン１２を形成することにより、ターボファン３と上部熱交換器６ｉおよび下部熱交換器６ｊで距離Ｌ１＞Ｌ２と異なるので、ターボファン３から吹き出された流れがターボファン吹出口３ｅ近傍から上下熱交換器６ｉ、６ｊに到達するタイミングが変化し、従来の図３２の４方向吹出し天井埋込型空気調和機のようにターボファン吹出口１０３ｅ近傍で同一タイミングで熱交換器１０６へ流れが到達することがない。そのため、ターボファンの吹出口３ｅの高さ方向で受ける圧力変動のタイミングが変化し圧力変動が緩和され低騒音化できる。
【００５２】
また、従来の図３２の空気調和機のように高さ方向で同一位置に熱交換器１０６が配設されていると、冷房時熱交換器１０６で空気が凝縮され生成されるドレン水が熱交換器６のフィン表面に付着し下方へ流れ落ちるため、熱交換器６の空気調和機下方部分では、凝縮されたドレン水と熱交換器６の空気調和機上方部分から流れ落ちてきたドレン水により、熱交換器６のフィン表面における液膜が厚くなり、熱交換効率が悪化してしまい、さらに通風抵抗が増加し騒音悪化してしまう。そのためフィン表面が乾燥している暖房時と濡れている冷房時で騒音値が大幅に変化してしまう。
しかし、本発明のように熱交換器６を高さ方向で２分割し、かつ上部熱交換器６ｉと下部熱交換器６ｊの間にドレンパン１２ａを配設しているので、上部熱交換器６ｉで凝縮されたドレン水が下部熱交換器６ｊへ流れ落ちないので熱交換効率が悪化せず、さらに液膜が厚くならないので通風抵抗の増加が抑制され騒音悪化量が小さくできる。さらに冷・暖房時における騒音値の差が小さくできる。
【００５３】
以上のように、冷房時の騒音値の悪化を抑制し、冷・暖房時騒音値の差が小さく、かつ冷房時でも熱交換効率の高い天井埋込型空気調和機を得ることができる。
【００５４】
実施の形態７．
以下、本発明の実施の形態７における天井埋込形空気調和機を図１５〜図１７に基づいて説明する。
図１５〜図１７は、本発明の天井埋込形空気調和機の一例を示し、図１５は天井埋込形空気調和機の縦断面図、図１６は図１５のＦ−Ｆ断面における水平断面図、図１７は図１５のＧ−Ｇ断面における水平断面図である。なお、本空気調和機の主な構成は、前記実施の形態４と同様であり、同一部分には同符号を付し、その説明を省略する。
【００５５】
図１５〜図１７において、天井裏に埋設された立方体状の空気調和機本体１の下部には正方形状の化粧パネル２が取り付けられ部屋へ面している。化粧パネル２の中央付近には空気調和機本体１への空気の吸込口である格子状の吸込グリル２ｂと、化粧パネル２の各辺に沿って形成された長方形状の吹出口２ａを４つ有し、さらに各吹出口２ａには１枚づつ上下方向風向ベーン２ｃを有する４方向吹出し天井埋込形空気調和機である。
また、空気調和機本体１の内部にはターボファン３、ターボファン３を駆動するためのモータ４、ベルマウス５、またターボファン３の周りには熱交換器６が立設され、二つの略正方形状の熱交換器６ｉ、６ｊのうち空気調和機本体天井側上方部分の上部熱交換器６ｉは熱交換器の湾曲部が空気調和機本体１の側板１ｃの中央付近になるように配置され、空気調和機化粧パネル側下方部分の下部熱交換器６ｊの平面部が空気調和機本体の側板１ｃに沿うように配置されている。したがって、上部熱交換器６ｉと下部熱交換器６ｊはターボファン軸を中心に約９０°回転させずれた位置関係で上下方向に配置された構成となっている
そして、熱交換器６の凝縮水であるドレン水を受け止めるドレンパン１２は、前記上部熱交換器６ｉの下部および前記下部熱交換器６ｊの上面を覆うように形成された上部ドレンパン１２ａと、下部熱交換器６ｊの下部を覆うように形成された下部ドレンパン１２ｂで構成され、上部熱交換器６ｉと下部熱交換器６ｊの間の隙間をふさぐように配設され吹出風路１６を構成している。
【００５６】
このように熱交換器６ｉ、６ｊ、ドレンパン１２ａ、１２ｂを形成することにより、熱交換器６の平面部のターボファン３に接近する部分が熱交換器６の上下高さ方向で互い違いになり、ターボファン３の吹出し流が熱交換器６へ流入するタイミングが熱交換器高さ方向で変化するので、ターボファン３が熱交換器６から受ける圧力変動が拡散され低騒音化できる。その結果、低騒音化された分、風量を増加できるので、熱交換量が増加でき熱交換効率の向上が図れる。
【００５７】
また、本発明のように構成することにより上部および下部の熱交換器湾曲部が互い違いになるので、吹出口長手方向における風速分布が均一化されて、吹出口２ａにおける温度分布が均一化され、冷房時上下方向風向ベーン２ｃに結露する恐れが抑制される。その結果、空気調和機が設置されている部屋１５へ結露水が滴下の可能性も無くなり品質が向上する。
【００５８】
さらに熱交換器６を高さ方向で２分割し、かつ上部熱交換器６ｉと下部熱交換器６ｊの間にドレンパン１２ａを配設しているので、従来のように熱交換器上方で凝縮されたドレン水が熱交換器下方まで流れ落ちず液膜が厚くならないので、熱交換効率が悪化せず、さらに通風抵抗の増加が抑制され騒音悪化量が小さくできる。さらに冷・暖房時における騒音値の差が小さくできる。
【００５９】
以上のように、本発明によれば低騒音で、冷・暖房時ともに熱交換効率が高く、品質が高い天井埋込型空気調和機を得られる。
【００６０】
実施の形態８．
以下、本発明の実施の形態８における天井埋込形空気調和機を図１８から図２０に基づいて説明する。
図１８〜図２０は本発明の天井埋込形空気調和機の一例を示し、図１８は天井埋込形空気調和機の縦断面図、図１９は図１８の水平断面図、図２０は化粧パネル２の斜視図である。なお、本空気調和機の主な構成は、前記実施の形態１と同様であり、同一部分には同符号を付し、その説明を省略する。
【００６１】
図１８、図１９において、天井裏に埋設された直方体状の空気調和機本体１の下部には長方形状の化粧パネル２が取り付けられ部屋１５へ面し、長方形状の化粧パネル２の各長辺側２ｄにのみに、前記長辺２ｄに沿った長方形状の吹出口２ａを各一つ合計二つ有し、さらに各吹出口２ａには１枚づつ上下方向風向ベーン２ｃが配設されている。また前記長方形の吹出口２ａ二つに挟まれるように化粧パネル２の中央付近には空気調和機本体１への空気の吸込口である格子状の吸込グリル２ｂが配設された二方向吹出し天井埋込型空気調和機である。
【００６２】
そして、図１８〜図２０のように、空気調和機本体１の下面に取り付けられた化粧パネル２の二つの長方形状の吹出口部２ｆが突出し空気調和機本体１に挿入され、熱交換器６から化粧パネルの吹出口２ａへの吹出風路１６の一部を構成している。さらに前記化粧パネルの吹出口部２ｆの長手方向に風向変更可能な左右方向風向ベーン２ｇが配設されている。また各左右方向風向ベーン２ｇはリンク棒２ｈにより接続され、ベーンモータ１８により角度変更ができるように構成されている。さらに化粧パネルの吹出口２ａには上下方向風向ベーン２ｃが配設されているので上下左右風向変更可能となっている。
【００６３】
このように化粧パネルを形成することにより、天井埋込型空気調和機の吹出し範囲が拡大し、従来の図２４、２７などに示す二方向吹出し天井埋込型空気調和機のように化粧パネルの長方形状の吹出口の短手方向のみでなく、長手方向も送風方向変更可能なため、部屋における温度分布が均一化され快適性が向上する。
【００６４】
【発明の効果】
以上説明したとおり、請求項１に係るこの発明によれば、天井裏に埋設された空気調和機本体の内部にターボファンとこのターボファンを囲むように熱交換器を立設し、前記空気調和機本体の下面に吸込口および吹出口を有した化粧パネルを備えた天井埋込形空気調和機において、前記空気調和機本体の直方体形状に対応する長方形状の前記化粧パネルの長辺側に有した一対の吹出口と、前記ターボファン近傍は湾曲形状でその他部分はターボファンに沿わない「くの字形状」および「逆くの字形状」の一対がターボファンをはさむように立設した略菱形形状の熱交換器と、前記熱交換器へ冷媒を流通接続させるヘッダーおよび分配器を納めたヘッダー壁と、前記熱交換器のヘッダー壁との対向側から前記空気調和機本体の側板側へ延出した分割板と、を備え、前記略菱形形状の熱交換器の鈍角側二頂点は前記空気調和機本体の長辺側側板の中央付近になるように配設すると共に、前記分割板と前記ヘッダー壁により前記熱交換器の風下側から前記化粧パネルの一対の吹出口へ連通する吹出風路が二分され、前記熱交換器の列数は前記ターボファンから遠方部分が近傍部分より多いものであるので、熱交換器の略菱形形状により従来の天井埋込形空気調和機に比べ熱交換器面積を拡大でき、通風抵抗が低く、さらに、ターボファン近傍は熱交換器列数が少なくターボファンへ寄与する通風抵抗の増加が小さいので、騒音悪化が小さくて冷・暖房時の熱交換器性能の向上が図れる。または熱交換性能が従来と同一性能で良い場合、送風量を低減できるので、低騒音化が図れる。また熱交換器性能、騒音値が従来と同一性能で良い場合、熱交換器面積の高さ方向を削減できるので、空気調和機本体高さを低減できコンパクト化が可能である。よって、熱交換性能が高く、または低騒音、またはコンパクトな天井埋込形空気調和機が得られる。
【００６５】
また請求項２に係る発明によれば、前記熱交換器は一つの平板状をなすとともに、略菱形形状となるように湾曲または屈曲により形成したものであるので、２枚の平板形状の熱交換器を湾曲して「くの字」、「逆くの字」形状に形成後、熱交換器の一端をサイドプレートで他端をヘッダー・分配器により固定し略菱形形状にする時に比べ、サイドプレートが不要で部品点数が減らせ、「くの字」、「逆くの字」形状熱交換器を略菱形に形成するためのサイドプレートへの熱交換器の固定作業も不要のため省人化、作業効率の向上が図れ、人的コスト低減が図れる。そのため、安価な空気調和機を提供できる。
【００６８】
さらに請求項３に係る発明によれば、天井裏に埋設された空気調和機本体の内部にターボファンとこのターボファンを囲むように熱交換器を立設し、前記空気調和機本体の下面に吸込口および吹出口を有した化粧パネルを備えた天井埋込形空気調和機において、前記熱交換器は前記ターボファンの吹出口をまたぐ位置を境に上部と下部の２つに分割して配設されると共に、前記上部熱交換器と前記ターボファンの吹出口との距離が前記下部熱交換器との距離に比べて大きくなるように配設し、前記上部熱交換器と下部熱交換器の間に前記上部熱交換器で発生するドレン水を受けるドレンパンを配設したものなので、ターボファンと上部熱交換器、下部熱交換器で距離が異なり、ターボファンから吹き出された流れがターボファン吹出口近傍から上下熱交換器に到達するタイミングが変化するので、ターボファンの吹出口の高さ方向で受ける圧力変動のタイミングが変化し圧力変動が緩和され低騒音化できる。
また、熱交換器を高さ方向で２分割し、かつ上部熱交換器と下部熱交換器の間に上部熱交換器で発生するドレン水を受けるドレンパンを配設しているので、上部熱交換器で凝縮されたドレン水が下部熱交換器へ流れ落ちないので熱交換効率が悪化せず、さらに液膜が厚くならないので通風抵抗の増加が抑制され騒音悪化量が小さくできる。さらに冷・暖房時における騒音値の差が小さくできる。
その結果、冷房時の騒音値の悪化を抑制し、冷・暖房時騒音値の差が小さく、かつ冷房時でも熱交換効率の高い天井埋込形空気調和機を得ることができる。
【００６９】
さらに請求項４に係る発明によれば、天井裏に埋設された空気調和機本体の内部にターボファンとこのターボファンを囲むように熱交換器を立設し、前記空気調和機本体の下面に吸込口および吹出口を有した化粧パネルを備えた天井埋込形空気調和機において、前記熱交換器は前記ターボファンの吹出口をまたぐ位置を境に上部と下部の２つに分割され、前記上方部分に配設される上部熱交換器の湾曲部が前記空気調和機の側板の中央付近になるように配置されると共に、前記下方部分に配設される下部熱交換器の平面部が側板に沿うように配置されたものであるので、熱交換器の平面部のターボファンに接近する部分が熱交換器の高さ方向で互い違いになり、ターボファンの吹出し流が熱交換器へ流入するタイミングが熱交換器高さ方向で変化するので、ターボファンが熱交換器から受ける圧力変動が拡散され低騒音化できる。その結果、低騒音化された分、風量を増加できるので、熱交換量が増加でき熱交換効率の向上が図れる。
また熱交換器湾曲部が互い違いになり吹出口長手方向における風速分布が均一化されるので、吹出口における温度分布が均一化され、冷房時上下方向風向ベーンに結露する恐れが抑制される。その結果、空気調和機が設置されている部屋へ結露水が滴下の可能性も無くなり品質が向上する。
【００７０】
さらに請求項５に係る発明によれば、前記化粧パネルの吹出口部が前記空気調和機本体の吹出風路内に突出し、前記化粧パネルの吹出口部に左右方向風向ベーンを配設したものであるので、従来の二方向吹出し天井埋込形空気調和機のように化粧パネルの長方形状の吹出口の短手方向のみでなく、長手方向も送風方向変更可能なため、部屋における温度分布が均一化され快適性が向上する。
【図面の簡単な説明】
【図１】  本発明の実施の形態１に係る天井埋込形空気調和機の部屋から見た外観図である。
【図２】  図１の天井埋込形空気調和機の縦断面図である。
【図３】  図２の天井埋込形空気調和機の水平断面図である。
【図４】  本発明の実施の形態２に係る天井埋込形空気調和機の水平断面図である。
【図５】  本発明の実施の形態３に係る天井埋込型空気調和機の水平断面図である。
【図６】  図５の断面Ｂ−Ｂにおける縦断面図である。
【図７】  本発明の実施の形態４に係る天井埋込形空気調和機の部屋から見た取付概要図である。
【図８】  図７の天井埋込形空気調和機の縦断面図である。
【図９】  図８の天井埋込形空気調和機の水平断面図である。
【図１０】  本発明の実施の形態５に係る天井埋込形空気調和機の縦断面図である。
【図１１】  図１０の天井埋込形空気調和機の水平断面図である。
【図１２】  本発明の実施の形態６に係る天井埋込形空気調和機の縦断面図である。
【図１３】  図１２の断面Ｄ−Ｄでの水平断面図である。
【図１４】  図１２の断面Ｅ−Ｅでの水平断面図である。
【図１５】  本発明の実施の形態７に係る天井埋込形空気調和機の縦断面図である。
【図１６】  図１５の断面Ｆ−Ｆにおける水平断面図である。
【図１７】  図１５の断面Ｇ−Ｇにおける水平断面図である。
【図１８】  本発明の実施の形態８に係る天井埋込形空気調和機の縦断面図である。
【図１９】  図１８の天井埋込形空気調和機の水平断面図である。
【図２０】  本発明の実施の形態８に係わり化粧パネルの斜視図である。
【図２１】  従来の天井埋込形空気調和機の部屋から見た取付外観図である。
【図２２】  図２１の縦断面図である。
【図２３】  図２２の水平断面図である。
【図２４】  従来の第２の天井埋込形空気調和機の部屋から見た取付外観図である。
【図２５】  図２４の縦断面図である。
【図２６】  図２５の水平断面図である。
【図２７】  従来の第３のターボファンを用いた２方向吹出し天井埋込形空気調和機の水平断面図である。
【図２８】  従来の第４のターボファンの周囲にＵ字形の熱交換器を立設した天井埋込形空気調和機の水平断面図である。
【図２９】  従来の第５の円形の熱交換器を立設した天井埋込形空気調和機の水平断面図である。
【図３０】  従来の第６の波形の熱交換器を立設した天井埋込形空気調和機の水平断面図である。
【図３１】  従来の第７の天井埋込形空気調和機の部屋から見た取付外観図である。
【図３２】  図３１の天井埋込形空気調和機の縦断面図である。
【図３３】  図３２の水平断面図である。
【符号の説明】
１  天井埋込形空気調和機本体、１ａ  空気調和機本体の長辺側側板、１ｂ  空気調和機本体の短辺側側板、１ｃ  空気調和機本体の側板、２  化粧パネル、２ａ  吹出口、２ｂ  吸込口、２ｃ  上下方向風向ベーン、２ｄ  化粧パネル長辺、２ｅ  化粧パネル短辺、２ｆ  吹出部、２ｇ  左右方向風向ベーン、２ｈ  リンク棒、３  ターボファン、３ａ  羽根、３ｂ  主板、３ｃ  ハブ、３ｄ  シュラウド、３ｅ  ターボファンの吹出口、４  モータ、５  ベルマウス、６  熱交換器、６ａ  くの字形熱交換器、６ｂ  逆くの字形熱交換器、６ｃ  くの字形熱交換器の鈍角側頂点、６ｄ  逆くの字形熱交換器の鈍角側頂点、６ｅ  ターボファン遠方部分、６ｆ  ターボファンの吹出口下方部分の熱交換器、６ｇ  ターボファン吹出口近傍の上部熱交換器、６ｈ  ターボファンの吹出口下方のフィンピッチが上部熱交換器６ｇより小さい下部熱交換器、６ｉ  上部熱交換器、６ｊ下部熱交換器、７  サイドプレート、８  ヘッダー、９分配器、１０  分割板、１１  ヘッダー壁、１２  ドレンパン、１２ａ  上部ドレンパン、１２ｂ  下部ドレンパン、１３  電気品箱、１４  フィルタ、１５  部屋、１６  吹出風路、１７  ドレンポンプ、１８  ベーンモータ、１９  吸込風路、２２  照明、１０１  天井埋込形空気調和機本体、１０１ａ  空気調和機本体の長辺側側板、１０１ｂ  空気調和機本体の短辺側側板、１０１ｃ  空気調和機本体の側板、１０１ｄ  空気調和機の天板、１０２  化粧パネル、１０２ａ  吹出口、１０２ｂ  吸込口、１０２ｃ  上下方向風向ベーン、１０２ｄ  化粧パネル長辺、１０２ｅ  化粧パネル短辺、１０２ｆ  吹出部、１０２ｇ  左右方向風向ベーン、１０２ｈリンク棒、１０２ｉ  吸込パネル、１０３  ターボファン、１０３ａ  後ろ向き羽根、１０３ｂ  主板、１０３ｃ  ハブ、１０３ｄ  シュラウド、１０３ｅ  ターボファンの吹出口、１０４  モータ、１０５  ベルマウス、１０６  熱交換器、１０７  サイドプレート、１０８  ヘッダー、１０９  分配器、１１０  分割板、１１１  ヘッダー壁、１１２  ドレンパン、１１３  電気品箱、１１４  フィルタ、１１５  部屋、１１６  吹出風路、１１７  ドレンポンプ、１１８  ベーンモータ、１１９  吸込風路、１２０  多翼ファン、１２０ａ  主板、１２０ｂ  多翼ファンの側板、１２０ｃ  羽根、１２０ｄ  羽根車、１２０ｅ  吸込ベルマウス、１２０ｆ  ケーシング吹出口、１２０ｇ  ケーシング、１２１  分割板、１２２  照明、Ａ  ファン回転方向、Ｃ  ファン吹出流れ、Ｈ  空気調和機本体高さ、Ｌ１  ターボファン外周と上部熱交換器間距離、Ｌ２  ターボファン外周と下部熱交換器間距離。
【図１】
0003758592.tif 000002
【図２】
0003758592.tif 000003
【図３】
0003758592.tif 000004
【図４】
0003758592.tif 000005
【図５】
0003758592.tif 000006
【図６】
0003758592.tif 000007
【図７】
0003758592.tif 000008
【図８】
0003758592.tif 000009
【図９】
0003758592.tif 000010
【図１０】
0003758592.tif 000011
【図１１】
0003758592.tif 000012
【図１２】
0003758592.tif 000013
【図１３】
0003758592.tif 000014
【図１４】
0003758592.tif 000015
【図１５】
0003758592.tif 000016
【図１６】
0003758592.tif 000017
【図１７】
0003758592.tif 000018
【図１８】
0003758592.tif 000019
【図１９】
0003758592.tif 000020
【図２０】
0003758592.tif 000021
【図２１】
0003758592.tif 000022
【図２２】
0003758592.tif 000023
【図２３】
0003758592.tif 000024
【図２４】
0003758592.tif 000025
【図２５】
0003758592.tif 000026
【図２６】
0003758592.tif 000027
【図２７】
0003758592.tif 000028
【図２８】
0003758592.tif 000029
【図２９】
0003758592.tif 000030
【図３０】
0003758592.tif 000031
【図３１】
0003758592.tif 000032
【図３２】
0003758592.tif 000033
【図３３】
0003758592.tif 000034